(57)【要約】  【課題】従来技術の上述したような欠点を排除したＬＥＤ光源を提供すること、ＬＥＤ光源の価値及び魅力を高めること、ＬＥＤ光源及び反射体の組み合わせの価値及び魅力を高めること、である。  【解決手段】軸１４を中心として配列し且つ周囲方向リム１６を有する凹形の反射体を含むランプ１０のＬＥＤ光源１８が、凹形の反射体１２と関連付けした支持体２０に取り付けられる。支持体２０は、凹形の反射体１２に、例えば長孔２２ａに圧力嵌めすることにより固定した脚部２２を有し、ＬＥＤ光源１８は、例えば、サイドエミットＬＥＤのような任意の好適な様式のものであり得る。【選択図】図１
2006032345.tif 000002
【特許請求の範囲】
【請求項１】
軸を中心として配列され且つ周囲方向リムを有する凹形の反射体と、
該凹形の反射体と関連付けした支持体上に取り付けたＬＥＤ光源と、
を含み、
前記支持体が前記周囲方向リムに沿って配列され且つ前記凹形の反射体に向けて光を配向するランプ。
【請求項２】
軸を中心として配列され且つ周囲方向リムを有する凹形の反射体と、
該凹形の反射体と関連付けした支持体上に取り付けたＬＥＤ光源と、
を含み、
前記支持体が前記凹形の反射体に固定した端部を有するランプ。
【請求項３】
支持体がＵ字形状を有し、ＬＥＤ光源が凹形の反射体に向けて光を直接差し向けるための態様下に前記Ｕ字形状の湾曲部分に取り付けられ、Ｕ字形状の支持体の脚部が前記凹形の支持体に固定される請求項２のランプ。
【請求項４】
周囲方向リムが、支持リテーナを有する取付け用溝を含む請求項１のランプ。
【請求項５】
支持体が取付け用溝及び支持リテーナと係合する請求項４のランプ。
【請求項６】
支持体が、ＬＥＤ光源を作動させたとき該ＬＥＤ光源によって発生される余剰の熱を取り除くための伝熱材料を含んでいる請求項１のランプ。
【請求項７】
支持体が、ＬＥＤ光源を作動させるための電気回路を含んでいる請求項６のランプ。
【請求項８】
支持体が、ＬＥＤ光源を作動させた場合に該ＬＥＤ光源によって発生される余剰の熱を取り除くための伝熱材料を含んでいる請求項２のランプ。
【請求項９】
支持体が、ＬＥＤ光源を作動させた場合に該ＬＥＤ光源によって発生される余剰の熱を取り除くための伝熱材料を含んでいる請求項３のランプ。
【請求項１０】
支持体がＬＥＤ光源を作動させるための電気回路を含んでいる請求項１のランプ。
【請求項１１】
支持体が引張力によって周囲方向リムにおいて維持される請求項１のランプ。
【請求項１２】
凹形の反射体が、軸の周囲に位置付けた無孔の中心部分を有する請求項１のランプ。
【請求項１３】
凹形の反射体が、軸の周囲に位置付けた無孔の中心部分を有する請求項２のランプ。
【発明の詳細な説明】
【技術分野】
【０００１】
本件出願は２００４年７月１６日に提出した仮申請特許番号第６０／５８８，１４３号の優先権を主張するものである。
本発明は電球に関し、詳しくは、単一あるいは複数の発光ダイオード（以下、ＬＥＤ光源とも称する）光源を用いる電球に関する。更に詳しくは、本発明は自動車用のヘッドライト、テールライト、ストップライト、フォグライト、方向指示灯などのような分野において有益な光源に関する。
【背景技術】
【０００２】
従来、大抵の自動車用光源には白熱灯の使用が関与されてきた。こうした白熱灯は作用が良好で安価でもあるが、寿命が比較的短く、また言うまでもなく、使用するフィラメントが細いので振動を受けると破損する。
【０００３】
最近、自動車のストップランプがＬＥＤ光源によって代替されている。これらのソリッドステート型の光源の寿命は１００，０００時間範囲にも及ぶ驚くべき長さであり、振動を受けても損傷しない。提案された様々のＬＥＤ光源例には、米国特許第６，６４１，２８７号、同第５，１３６，４８３号、同第６，４７４，８５２号、同第６，６７２，７４１号、同第６，２３８，０７３号、同第５，４７１，３７１号、同第６，８４０，６５２号及び第６，５８５，４０２号に記載されたものがある。これらの文献には実現性のあるストラテジーが開示されるものの、ＬＥＤ光源は複雑で製造費用も大きく、ＬＥＤ光源の取付構造あるいは整合手順も難しい。従って、ＬＥＤ光源による照明を自動車用光源以外の分野に広げる、詳しくは、光の照射が特定目的のために適切に制御され、取付け手順がシンプルで、比較的安価で、容易に使用することのできるＬＥＤ光源ができれば斯界における進歩がもたらされよう。
【０００４】
【特許文献１】米国特許第６，６４１，２８７号明細書
【特許文献２】米国特許第５，１３６，４８３号明細書
【特許文献３】米国特許第６，４７４，８５２号明細書
【特許文献４】米国特許第６，６７２，７４１号明細書
【特許文献５】米国特許第６，２３８，０７３号明細書
【特許文献６】米国特許第５，４７１，３７１号明細書
【特許文献７】米国特許第６，８４０，６５２号明細書
【特許文献８】米国特許第６，５８５，４０２号明細書
【発明の開示】
【発明が解決しようとする課題】
【０００５】
従って、解決しようとする課題は、従来技術の上述したような欠点を排除したＬＥＤ光源を提供することである。解決しようとする他の課題はＬＥＤ光源の価値及び魅力を高めることである。解決しようとする他の課題は、ＬＥＤ光源及び反射体の組み合わせの価値及び魅力を高めることである。
【課題を解決するための手段】
【０００６】
本発明の一様相によれば、軸を中心として配列され、周囲方向リムを有する凹形の反射体と、この反射体と関連付けした支持体上に取り付けたＬＥＤ光源とを含み、前記支持体が、前記周囲方向リムに沿って配列され且つ光を前記凹形の反射体に向けて配向するランプが提供される。
別の実施例によれば、軸を中心として配列された凹形の反射体にして、周囲方向リムと、前記凹形の反射体と関連する支持体上に取り付けたＬＥＤ光源とを含み、前記支持体が前記凹形の反射体に固定した端部を有する反射体を含むランプが提供される。
本発明によれば、整合が容易で、構造が比較的簡単なランプが提供される。
【発明を実施するための最良の形態】
【０００７】
図面を参照して詳しく説明するに、図１には、軸１４を中心として配列し且つ周囲方向リム１６を有する凹形の反射体１２を含むランプ１０が示される。凹形の反射体１２と連結するなどして関連付けした支持体２０にＬＥＤ光源１８が取り付けられる。支持体２０は、凹形の反射体１２に、例えば長孔２２ａに圧力嵌めすることにより固定した脚部２２を有する。ＬＥＤ光源１８は、例えば、サイドエミットＬＥＤのような任意の好適な様式のものであり得、放射光の色はランプの目的上好適な、例えばテールライトあるいはストップライト用の赤色あるいはヘッドライト用の白色であり得る。所望であれば１つ以上のＬＥＤ光源を使用することができる。使用個数が１つである場合は軸１４に沿って整列させた状態で使用することが好ましい。
【０００８】
図２には別の実施例が示され、支持体２０が、湾曲部２４及び脚部２２、２６を備えたＵ字形状とされている。ＬＥＤ光源１８は、光を凹形の反射体１２に直接配向する態様下にこのＵ字形の支持体の湾曲部２４に取り付けられ、脚部２２、２６は任意の固定様式、例えば長孔２２ａ及び２６ａに圧力嵌めすることにより前記凹形の反射体１２に固定される。
【０００９】
図３には、軸１４を中心として配列され、周囲方向リム１６を有する凹形の反射体１２を含む同様のランプ１０が示される。然し乍ら、本実施例ではＬＥＤ光源１８はＶ字形状の支持体２０ａに取り付けられる。Ｖ字形状の支持体２０ａは、ＬＥＤ光源１８が、光を、その中心部からではなく縁部から凹形の反射体１２に配向する状態下にこの支持体の周囲方向リムに沿って配列されることで凹形の反射体１２と関連付けされる。
【００１０】
周囲方向リム１６は、図３に示すようなＶ字形状トラフ、あるいは図４にはその１つのみを示す一連の開口の形態のものであり得る取り付け用溝２８を有する。Ｖ字形状トラフは、使用するべきＬＥＤ光源の数に応じて、周囲位置において連続形成され得、あるいは１つ以上の個別のＶ字形状トラフ部分として形成され得る。取り付け用溝２８には、図３に示すような伸延リップ３０ａの形態のものであり得る支持リテーナ３０が設けられる。この場合、Ｖ字形状の支持体２０ａは本来、番号２０ｂで示す形態を有し得ることからハウジング内に弾発的に押し嵌めされ得る。あるいは、図４に示すようなアングル面３０ｂを設けることができる。
【００１１】
支持体２０は単数あるいは複数のＬＥＤ光源から作動上の熱を取り除くために伝熱性を有し、選択された環境下でランプを作動させるために必要な回路３２（図示せず）も設けられる。
【００１２】
ＬＥＤ光源１８は、周囲方向リム１６あるいはその近辺に取り付けた場合、適正な整合を保証するために軸１４に関して角度θを付けた状態で取り付けられる。この角度は凹形の反射体の曲率及び使用する特定のＬＥＤ光源に依存するものではあるが、反射体が自動車で使用されるような形式のパラボラ状のものである場合は、前記角度を約３０°とするとＬＥＤ光源１８からの光を反射体１２の表面上に差し向けるために良い結果を得られる。
【００１３】
ＬＥＤ光源１８からの光は反射体のリム部分の周囲に広範囲に拡散され、かくして放射光が反射体上に集中される間の放熱性が改善される。反射体の中心部には孔が形成されないので最終的なビームパターンに影やギャップが発生することもない。弾発嵌合によってアセンブル化し得ることから、複数のＬＥＤ光源の正しい位置決めが保証される。
以上、本発明を実施例を参照して説明したが、本発明の内で種々の変更をなし得ることを理解されたい。
【図面の簡単な説明】
【００１４】
【図１】本発明の１実施例の概略図である。
【図２】本発明の他の実施例の概略図である。
【図３】本発明の他の実施例の概略図である。
【図４】本発明の他の実施例の概略図である。
【符号の説明】
【００１５】
１０  ランプ
１２  凹形の反射体
１４  軸
１６  周囲方向リム
１８  ＬＥＤ光源
２０  支持体
２２、２６  脚部
２２ａ、２６ａ  長孔
２４  湾曲部
２８  取り付け用溝
３０  支持リテーナ
３０ａ  伸延リップ
３０ｂ  アングル面
３２  回路
【図１】
2006032345.tif 000003
【図２】
2006032345.tif 000004
【図３】
2006032345.tif 000005
【図４】
2006032345.tif 000006